(57)【要約】【課題】従来、ＥＰＧデータ取得は、受信機の電源ＯＦＦの時しかＥＰＧデータを受信できなかった。これは、受信機のチューナーのチャンネル権をユーザーが使用している時は、チャンネル権をＥＰＧデータ受信状態として置くことが出来ない為である。【解決手段】ＥＰＧデータ受信の為に制御部で、受信機のチューナーのチャンネル権をユーザーが占有している場合は、ＥＰＧデータ受信時刻の前にユーザーに対してＥＰＧデータを受信するか、受信しないのかの確認ガイド表示を行い、ユーザーの判断でＥＰＧデータ受信開始する為に、受信機のチューナーのチャンネルを、ＥＰＧ受信用のチャンネルに自動的に切り替えＥＰＧデータ受信する。【選択図】図１
2006180156.tif 000002
【特許請求の範囲】
【請求項１】
所定チャンネルの放送波に含まれる電子番組表データを所定時刻に受信可能な電子番組表受信装置であって、放送波を受信する受信手段と、前記受信手段で受信した放送波から映像信号を復調する映像信号処理手段と、前記受信手段で受信した放送波から電子番組表データを復調する番組表処理手段と、電子番組表データを受信可能な所定時刻近傍になった時に前記映像信号処理手段からの映像信号に所定のメッセージを多重する多重手段と、前記映像信号処理手段からの映像信号あるいは前記番組表処理手段からの電子番組表データを表示装置に対して表示制御を行う表示制御手段とを備え、
電子番組表データを受信可能な所定時刻近傍になった時、使用者に対して電子番組表データを受信するか否かの判断を促すメッセージを、前記多重手段により映像信号に多重して表示することを特徴とする電子番組表受信装置。
【請求項２】
所定チャンネルの放送波に含まれる電子番組表データを所定時刻に受信可能な電子番組表受信装置であって、放送波を受信する受信手段と、前記受信手段で受信した放送波から映像信号を復調する映像信号処理手段と、前記受信手段で受信した放送波から電子番組表データを復調する番組表処理手段と、電子番組表データを受信可能な所定時刻近傍になった時に前記映像信号処理手段からの映像信号に所定のメッセージを多重する多重手段と、前記映像信号処理手段からの映像信号あるいは前記番組表処理手段からの電子番組表データを表示装置に対して表示制御を行う表示制御手段とを備え、
電子番組表データを受信可能な所定時刻近傍になった時、前記受信手段で受信しているチャンネルが、電子番組表データが放送波に含まれている所定チャンネルと一致していない場合、前記受信手段における受信チャンネルを前記所定チャンネルに一致させるよう使用者に促すメッセージを、前記多重手段により映像信号に多重して表示することを特徴とする電子番組表受信装置。
【請求項３】
電子番組表データを受信可能な所定時刻近傍になった時、使用者に対して電子番組表データを受信するか否かの判断を促すメッセージを、多重手段により映像信号に多重して表示することを特徴とする請求項１記載の電子番組表受信方法。
【請求項４】
電子番組表データを受信可能な所定時刻近傍になった時、受信手段で受信しているチャンネルが、電子番組表データが放送波に含まれている所定チャンネルと一致していない場合、前記受信手段における受信チャンネルを所定チャンネルに一致させるよう使用者に促すメッセージを、多重手段により映像信号に多重して表示することを特徴とする請求項２記載の電子番組表受信方法。
【発明の詳細な説明】
【技術分野】
【０００１】
本発明は、ＥＰＧで使用する番組表データを受信する電子番組表受信装置に関する。
【背景技術】
【０００２】
地上波テレビ放送電波のＶＢＩ（垂直帰線消去期間：Ｖｅｒｔｉｃａｌ  Ｂｌａｎｋｉｎｇ  Ｉｎｔｅｒｖａｌ）を使用して、ＥＰＧ（電子番組表：Ｅｌｅｃｔｒｏｎｉｃ  Ｐｒｏｇｒａｍ  Ｇｕｉｄｅ）で使用する番組表データ（以下、ＥＰＧデータという）を伝送される。使用者は、電子番組表受信装置によりＥＰＧホスト局よりＥＰＧデータを受信し、ＥＰＧデータから電子番組表を抽出して格納し表示することにより、電子番組表から番組選択に必要な情報を得ることができる。
【特許文献１】特開２０００−３４１１５６号公報
【発明の開示】
【発明が解決しようとする課題】
【０００３】
従来は、ＥＰＧデータ取得は、受信機の電源ＯＦＦの時しかＥＰＧデータを受信できなかった。これは、受信機のチューナーのチャンネル権を使用者が使用している時は、チャンネル権をＥＰＧデータ受信状態として置くことが出来ないためである。
【課題を解決するための手段】
【０００４】
本発明の請求項１及び３に記載の発明は、所定チャンネルの放送波に含まれる電子番組表データを所定時刻に受信可能な電子番組表受信装置であって、放送波を受信する受信手段と、前記受信手段で受信した放送波から映像信号を復調する映像信号処理手段と、前記受信手段で受信した放送波から電子番組表データを復調する番組表処理手段と、電子番組表データを受信可能な所定時刻近傍になった時に前記映像信号処理手段からの映像信号に所定のメッセージを多重する多重手段と、前記映像信号処理手段からの映像信号あるいは前記番組表処理手段からの電子番組表データを表示装置に対して表示制御を行う表示制御手段とを備え、電子番組表データを受信可能な所定時刻近傍になった時、使用者に対して電子番組表データを受信するか否かの判断を促すメッセージを、前記多重手段により映像信号に多重して表示するものである。
【０００５】
請求項２及び４に記載の発明は、所定チャンネルの放送波に含まれる電子番組表データを所定時刻に受信可能な電子番組表受信装置であって、放送波を受信する受信手段と、前記受信手段で受信した放送波から映像信号を復調する映像信号処理手段と、前記受信手段で受信した放送波から電子番組表データを復調する番組表処理手段と、電子番組表データを受信可能な所定時刻近傍になった時に前記映像信号処理手段からの映像信号に所定のメッセージを多重する多重手段と、前記映像信号処理手段からの映像信号あるいは前記番組表処理手段からの電子番組表データを表示装置に対して表示制御を行う表示制御手段とを備え、電子番組表データを受信可能な所定時刻近傍になった時、前記受信手段で受信しているチャンネルが、電子番組表データが放送波に含まれている所定チャンネルと一致していない場合、前記受信手段における受信チャンネルを前記所定チャンネルに一致させるよう使用者に促すメッセージを、前記多重手段により映像信号に多重して表示するものである。
【発明の効果】
【０００６】
本発明は、機器本体の電源のＯＮ／ＯＦＦに関わらず、ＥＰＧデータを受信Ｓるよう操作することができるものであり、ＥＰＧ機能の使い勝手を向上させることができる。すなわち、従来は機器本体の電源がＯＦＦの時のみＥＰＧデータを受信できる構成だったのに対し、本発明では、機器本体の電源がＯＮの状態でＥＰＧ受信時刻が近づくと、その旨を使用者に知らしめる構成とし、手動にてＥＰＧデータを受信できるものである。
【０００７】
また、ＥＰＧ受信時刻が近づくと、機器本体の受信チャンネルがＥＰＧ受信チャンネルと一致している時のみ、自動的にＥＰＧデータを受信する構成としたので、ＥＰＧ機能の使い勝手を向上させることができる。
【発明を実施するための最良の形態】
【０００８】
次に、本発明の実施の形態について図面を参照して説明する。
【０００９】
（実施の形態１）
図１は、本発明の電子番組表受信装置の実施の形態を示すブロック図である。本装置は、近年急速に普及しつつあるＤＶＤやハードディスクドライブなどの大容量記録媒体を搭載したＤＶＤレコーダーなどの記録再生装置に搭載される、ＥＰＧ機能を応用したものである。なお、搭載される機器はＤＶＤレコーダーに限らず、少なくとも映像信号を再生あるいは表示、ＥＰＧデータを受信及び表示可能な機器であればよい。
【００１０】
図において、１０１は放送波を受信可能なアンテナ、１０２はアンテナ１０１で受信した放送波を同調受信する受信手段であるチューナー部で、チューナー部１０２で受信される放送波には番組放送のデータとともに、ＥＰＧデータも多重されている。１０３はチューナー部１０２で受信した放送波を映像信号と電子番組表データ（以下ＥＰＧデータ）とに分離する分離手段である分離回路、１０４は分離回路１０３で分離された映像信号を外部表示手段（後述するモニタ１１３）に表示したり記録メディア１１１に記録可能な信号に処理する映像信号処理手段である映像信号処理部、１０５は映像信号処理部１０４にて処理された映像信号（及び音声信号）を記録メディア１１１に記録したり記録メディア１１１に記録された映像信号（および音声信号）を再生する記録再生部、１１１は記録再生部１０５によって映像信号の記録及び再生を行う記録メディアで、本実施の形態では、ＤＶＤ（デジタル多用途ディスク）などの光学式記録媒体やＨＤＤ（ハードディスクドライブ）などの磁気式記録媒体を想定しているが、記録媒体の種類や記録方式についてはこれらに限定されるものではない。１１２は映像信号処理部１０４からの映像信号とＥＰＧデータガイド表示部１０６からのデータとを多重制御あるいはいずれか一方を選択する表示制御手段である表示判断部、１１３は本装置を備えた記録再生装置に外部接続された表示装置であるモニターで、テレビジョン受像機などに相当するが、記録再生装置に一体的に設けられた小型液晶モニタなどの表示デバイスであっても構わない。
【００１１】
１０７は分離回路１０３によって分離されたＥＰＧデータに基づき電子番組表を作成する番組表処理手段であるＥＰＧデータ受信部、１０６はＥＰＧデータ受信部１０７で作成された電子番組表をモニター１１３に表示可能な信号（映像）に変換したり、ガイド表示の多重データを生成する多重手段であるＥＰＧデータガイド表示部で、ガイド表示については後述する。１０８は使用者により操作される操作部で、少なくともＥＰＧ機能を動作させるための操作手段を備えている。１０９は操作部１０８における操作に基づきチューナー部１０２とＥＰＧデータ受信部１０７とＥＰＧデータガイド表示部１０６とＥＰＧ用メモリ１１０とを制御する制御部、１１０はＥＰＧデータ受信部１０７からの電子番組表の信号を記憶するＥＰＧ用メモリである。
【００１２】
以上のように構成された本実施の形態について、以下その動作について説明する。
【００１３】
本実施の形態の電子番組表受信装置は、アンテナ１０１より受信された放送波を、チューナー部１０２で同調受信し、受信された放送波を分離回路１０３で放送番組に相当する映像信号とＥＰＧデータとに分離する。ここで、ＥＰＧデータは、地上波テレビ放送電波のＶＢＩ（垂直帰線消去期間）に重畳されて伝送されるものである。一般には、ＥＰＧデータが重畳されている放送波を搬送している放送局は決まっている。なお、本実施の形態では、アンテナ１０１を介してＥＰＧデータが重畳された放送波を受信する構成としているが、有線により直接チューナー部１０２に放送波を伝送するような構成であっても構わない、また、有線による接続の場合は、放送波に限らず、記録再生装置に通信ポート（ＬＡＮポートや電話回線ポートや各種信号伝送ポートなど）を設け、通信ポートに通信ケーブル（ＬＡＮケーブルや各種伝送ケーブルなど）を接続し、インターネットなどの外部ネットワークに接続してＥＰＧデータを受信するような構成であっても構わない。
【００１４】
分離回路１０３からの映像信号は、映像信号処理部１０４へ入力され、番組映像となる。映像信号処理部１０４からの番組映像は、表示判断部１１２を介してモニター１１３に表示が可能であるとともに、使用者の操作により記録再生部１０５で記録メディア１１１に記録させることができる。
【００１５】
記録メディア１１１の再生時は、記録再生部１０５により、記録メディア１１１に記録された番組映像を再生し出力する、再生された番組映像は、ＥＰＧデータガイド表示部１０６、表示判断部１１２を経てモニター１１３へ表示させることができる。また、使用者操作により、ＥＰＧデータガイド表示部１０６において電子番組表を番組映像に多重し、モニター１１３へ出力することもできる。
【００１６】
再生時以外は、アンテナ１０１から入力される番組映像のみを表示判断部１１２へ入力する。また、使用者操作により電子番組表を表示させるよう操作された時は、ＥＰＧデータガイド表示部１０６の電子番組表を、表示判断部１１２で電子番組表を番組映像に多重し、モニター１１３へ出力することもできる。
【００１７】
一方、分離回路１０３からのＥＰＧデータは、ＥＰＧデータ受信部１０７でＥＰＧデータに基づき電子番組表が作成される。ＥＰＧデータガイド表示部１０６では、ＥＰＧデータ受信部１０７で生成された電子番組表及びガイド表示の多重データを出力させる。
【００１８】
操作部１０８では、チューナー１０２のチャンネル選択、記録再生部１０５の記録再生操作及びＥＰＧデータガイド表示部１０６の電子番組表の操作をすることができる。
【００１９】
ＥＰＧ用メモリ１１０では、ＥＰＧデータ受信部１０７で受信されたＥＰＧデータから作成された電子番組表のデータを記憶することができる。
【００２０】
制御部１０９では、これらの操作部１０８からの使用者操作に従い、番組映像の記録再生、電子番組表の出力を行うと同時に、ＥＰＧデータ受信時刻の管理を行い、ＥＰＧデータ受信時刻の前にＥＰＧデータガイド表示部１０６へ番組映像と、使用者に対してＥＰＧデータの受信を行うか行わないかのＥＰＧデータ受信ガイド表示制御を行う。
【００２１】
表示判断部１１２では、ＥＰＧデータガイド表示部１０６の電子番組表と映像信号処理部１０４の番組映像の多重処理を行う。
【００２２】
モニター１１３では、映像信号処理部１０４からの番組映像のみや、電子番組表と映像信号処理部１０４からの番組映像の多重処理された映像、番組映像とガイド表示とを多重した映像などを表示することができる。
【００２３】
従前のＥＰＧ機能は、予め決められた受信時刻になると、機器本体の電源を自動投入し、ＥＰＧデータが多重された放送波を発信しているチャンネル（以下、ＥＰＧ受信チャンネルと称す）を自動で選局し、ＥＰＧデータを受信している。このようにＥＰＧデータを自動受信するには、チューナー部１０２における選局チャンネルを強制的にＥＰＧ受信チャンネルに切り替えるため、予め機器本体の電源をＯＦＦにしておく必要がある。よって、電源がＯＮの状態では、ＥＰＧデータを受信することができないという使い勝手の悪さがある。
【００２４】
本実施の形態では、このような使い勝手の悪さを解消するために、機器本体の電源がＯＮの状態で、ＥＰＧデータの受信時刻が近づくと、その旨を使用者へ報知する機能を有しているものである。報知方法の一例として、図６に示すように、「電子番組表データの受信時刻が近づいています。ＥＰＧデータ受信しますか？」なるメッセージを番組映像に多重させて表示することで、使用者に対してＥＰＧデータの受信時刻が近づいていることを報知できるとともに、実際にＥＰＧデータを受信するか否かを選択することができる。
【００２５】
ここで、ＥＰＧデータを受信するように命令すると、チューナー部１０２のチャンネル権は機器側になるので、強制的にＥＰＧ受信チャンネルに切り替わってしまう。事前まで使用者が視聴していたチャンネルとＥＰＧ受信チャンネルとが一致しているのであれば問題ないが、チャンネルが異なる場合は、強制的にＥＰＧ受信チャンネルに切り替わってしまい、使用者所望の番組を視聴することができなくなる。すなわち、ＥＰＧ受信チャンネルが４チャンネルで、使用者が視聴していたチャンネルが６チャンネルであった場合、強制的にチューナ１０２におけるチャンネルが６チャンネルから４チャンネルに切り替わってしまう。よって、使用者が、事前まで視聴していたチャンネルを継続して視聴したい場合は、図６に示すメッセージが表示された時に、ＥＰＧデータを受信しないように操作命令することで、チャンネルは切り替わらない。
【００２６】
また、ガイド表示の例として、図６に示すもの以外に、図７に示すように「電子番組表データの受信時刻が近づいています。受信する場合はホスト局（４ＣＨ）に切り換えてください」と表示することで、使用者に対して、ＥＰＧ受信チャンネルに切り替えることを誘導することもできる。このガイド表示に対して、使用者が操作部１０８を操作して、チューナー部１０２における受信チャンネルをＥＰＧ受信チャンネルに切り替えた場合、ＥＰＧデータを受信することができる。
【００２７】
次に、具体的な操作の流れについて説明する。
【００２８】
図２は制御部１０９のプログラムのフローチャートを示す。まず、ステップ２００にてＥＰＧデータの受信時刻と現在時刻の取得を行う。具体的には、アンテナ１０１及びチューナー部１０２を介してＥＰＧデータに含まれる受信時刻及び現在時刻の情報を取得する。同時にチュ−ナー部１０２の使用状態の取得を行う。
【００２９】
ステップ２０１にて、現在時刻がＥＰＧデータの受信時刻の所定時間前（例えば１０分前）に近づいたかどうかを判断する。現在時刻とＥＰＧデータの受信時刻との差が１０分以上ある場合は、ステップ２１０へ移行する。ステップ２１０では、ＥＰＧデータを受信しないで終了する。ステップ２０１にて現在時刻とＥＰＧデータの受信時刻が１０分前に近づいた場合は、ステップ２０２へ移行する。
【００３０】
ステップ２０２では、機器本体及びチューナー部１０２の電源がＯＮかＯＦＦか判断を行い、電源がＯＦＦの場合は、ステップ２０８へ移行する。
【００３１】
ステップ２０８では、機器本体の電源及びチューナー部１０２をＯＮし、ステップ２０９へ移行する。
【００３２】
ステップ２０９では、ＥＰＧデータ受信チャンネルに変更するように、チューナー部１０２の受信チャンネルを制御する。その後、ステップ２１１へ移行する。
【００３３】
ステップ２１１では、ＥＰＧデータを受信する。これにより使用者の判断でＥＰＧデータ受信開始するために、チューナー部１０２の受信チャンネルを、ＥＰＧ受信用のチャンネルに自動的に切り替え、ＥＰＧデータ受信できる。
【００３４】
一方、ステップ２０２にて機器本体及びチューナー部１０２の電源がＯＮかＯＦＦか判断を行った際、本体の電源がＯＮと判断した場合は、ステップ２０３へ移行する。
【００３５】
ステップ２０３では、記録再生部１０５において記録メディア１１１が再生中かどうかの判断をする。記録再生部１０５で記録メディア１１１が再生中の場合は、ステップ２０９へ移行する。ステップ２０９以降の動作については、前述と同様である。
【００３６】
ステップ２０３で、記録再生部１０５において記録メディア１１１が再生中ではないと判断した場合はステップ２０４へ移行し、ステップ２０４では、チューナー部１０２の受信チャンネルがＥＰＧ受信チャンネルであるかどうか判断する。チューナー部１０２の受信チャンネルがＥＰＧ受信チャンネルである場合は、ステップ２１１へ移行しＥＰＧデータを受信する。
【００３７】
ステップ２０４で、チューナー部１０２の受信チャンネルがＥＰＧ受信チャンネルでないと判断した場合は、ステップ２０５へ移行する。ステップ２０５では、ＥＰＧデータガイド表示部１０６に使用者に対して、ＥＰＧデータを受信するか受信しないかのガイド表示を、番組映像に多重し出力する。例えば、図６に示すように「ＥＰＧデータを受信しますか？」と表示することで、使用者に対して、ＥＰＧ受信するか否かを判断させることができる。その後、ステップ２０６へ移行する。
【００３８】
ステップ２０６で、使用者が「ＥＰＧデータを受信する」という選択を行った場合はステップ２０７へ移行し、使用者が「ＥＰＧデータを受信しない」という選択を行った場合はステップ２１０へ移行し、ＥＰＧデータを受信しないでフローを終了する。
【００３９】
ステップ２０７では、自動的にチューナー部１０２の受信チャンネルをＥＰＧ受信チャンネルに切り替える。その後、ステップ２１１へ移行する。
【００４０】
ステップ２１１では、チューナー部１０２にて選局されているＥＰＧ受信チャンネルを介してＥＰＧデータを受信する。これにより使用者の判断でＥＰＧデータ受信開始するために、受信機のチューナーのチャンネルを、ＥＰＧ受信用のチャンネルに自動的に切り替えＥＰＧデータ受信できる。
【００４１】
以上のように本実施の形態によれば、機器本体の電源あるいはチューナー部１０２の電源がＯＮの時に、ＥＰＧ受信時刻が近づいた場合、モニター１１３の画面上に番組映像に多重させてガイド表示を行うことにより、機器本体の電源あるいはチューナー部１０２の電源がＯＮであったとしてもＥＰＧデータを受信するよう操作することができる。また、受信するか否かを使用者によって選択可能に構成したことにより、ＥＰＧ受信時刻になったとしても「受信しない」を選択することで、使用者所望のチャンネルをチューナー部１０２で自由に選局することができる。
【００４２】
なお、本実施の形態では、ステップ２０６にて使用者に対してＥＰＧの受信要否を選択させ、「ＹＥＳ」を選択した場合にステップ２０７にてＥＰＧデータを受信する構成としたが、ステップ２０６にて図６に示すようなガイド表示をした後、所定時間使用者による選択操作が行われなかった場合（すなわち放置した場合）、自動的にＥＰＧデータを受信しないよう動作（ステップ２１０へ移行）する構成としてもよい。
【００４３】
（実施の形態２）
次に、図３を用いて、制御部１０９のプログラムの別例の動作を説明する。なお、装置全体のブロック構成は、図１に示すものと同様であるので、詳細説明は省略する。実施の形態１と異なるのは、制御部１０９におけるプログラムのフロー内容であり、そのフローの内容を図３に示した。
【００４４】
まず、ステップ３００にてＥＰＧデータの受信時刻と現在時刻の取得を行う。具体的には、アンテナ１０１及びチューナー部１０２を介してＥＰＧデータに含まれる受信時刻及び現在時刻の情報を取得する。同時にチュ−ナー部１０２の使用状態の取得を行う。
【００４５】
ステップ３０１にて、現在時刻がＥＰＧデータの受信時刻の所定時間前（例えば１０分前）に近づいたかどうかを判断する。現在時刻とＥＰＧデータの受信時刻との差が１０分以上ある場合は、ステップ３１０へ移行する。ステップ３１０では、ＥＰＧデータを受信しないで終了する。ステップ３０１にて現在時刻とＥＰＧデータの受信時刻が１０分前に近づいた場合は、ステップ３０２へ移行する。
【００４６】
ステップ３０２では、機器本体及びチューナー部１０２の電源がＯＮかＯＦＦか判断を行い、電源がＯＦＦの場合は、ステップ３０８へ移行する。
【００４７】
ステップ３０８では、機器本体の電源及びチューナー部１０２をＯＮし、ステップ３０９へ移行する。
【００４８】
ステップ３０９では、ＥＰＧデータ受信チャンネルに変更するように、チューナー部１０２の受信チャンネルを制御する。その後、ステップ３１１へ移行する。
【００４９】
ステップ３１１では、ＥＰＧデータを受信する。これにより使用者の判断でＥＰＧデータ受信開始するために、チューナー部１０２の受信チャンネルを、ＥＰＧ受信用のチャンネルに自動的に切り替え、ＥＰＧデータ受信できる。
【００５０】
一方、ステップ３０２にて機器本体及びチューナー部１０２の電源がＯＮかＯＦＦか判断を行った際、本体の電源がＯＮと判断した場合は、ステップ３０３へ移行する。
【００５１】
ステップ３０３では、記録再生部１０５において記録メディア１１１が再生中かどうかの判断をする。記録再生部１０５で記録メディア１１１が再生中の場合は、ステップ３０９へ移行する。ステップ３０９以降の動作については、前述と同様である。
【００５２】
ステップ３０３で、記録再生部１０５において記録メディア１１１が再生中ではないと判断した場合はステップ３０４へ移行し、ステップ３０４では、チューナー部１０２の受信チャンネルがＥＰＧ受信チャンネルであるかどうか判断する。チューナー部１０２の受信チャンネルがＥＰＧ受信チャンネルである場合は、ステップ３１１へ移行しＥＰＧデータを受信する。
【００５３】
ステップ３０４で、チューナー部１０２の受信チャンネルがＥＰＧ受信チャンネルでないと判断した場合は、ステップ３０５へ移行する。
【００５４】
ステップ３０５では、ＥＰＧデータガイド表示部１０６に  使用者に対して、チューナー部１０２の受信チャンネルをＥＰＧデータ受信チャンネルに変更するように、ガイド表示を番組映像に多重し出力する。ガイド表示の例としては、例えば、図７に示すように「ＥＰＧデータを受信します。ＥＰＧ受信チャンネルに切り替えて下さい」と表示することで、使用者に対して、ＥＰＧ受信チャンネルに切り替えることを誘導することができる。その後、ステップ３０６へ移行する。
【００５５】
ステップ３０６では、使用者によってチューナー部１０２の受信チャンネルが、ＥＰＧ受信チャンネルに切り替えられると、ステップ３０７へ移行する。切り替えられない場合はステップ３１０へ移行する。
【００５６】
ステップ３０７では、ＥＰＧ受信用のチャンネルに自動的に切り替えＥＰＧデータ受信できる。これにより使用者にＥＰＧデータ受信開始するためのガイド表示を行い、使用者が受信機のチューナーのチャンネルを、ＥＰＧ受信用のチャンネルに切り替えた後に、ＥＰＧデータ受信できる。
【００５７】
以上のように本実施の形態によれば、機器本体の電源あるいはチューナー部１０２の電源がＯＮの時にＥＰＧ受信時刻が近づくと、チューナー部１０２における受信チャンネルをＥＰＧ受信チャンネルに切り替えるよう使用者に促すメッセージを表示する構成としたので、使用者に対してＥＰＧ受信時刻が近づいたことを視覚的に報知することができる。
【００５８】
（実施の形態３）
次に図４において、制御部１０９のプログラムのフローチャートを示す。なお、装置全体のブロック構成は、図１に示すものと同様であるので、詳細説明は省略する。実施の形態１と異なるのは、制御部１０９におけるプログラムのフロー内容であり、そのフローの内容を図４に示した。
【００５９】
まず、ステップ４００にてＥＰＧデータの受信時刻と現在時刻の取得を行う。具体的には、アンテナ１０１及びチューナー部１０２を介してＥＰＧデータに含まれる受信時刻及び現在時刻の情報を取得する。同時にチュ−ナー部１０２の使用状態の取得を行う。
【００６０】
ステップ４０１にて、現在時刻がＥＰＧデータの受信時刻の所定時間前（例えば１０分前）に近づいたかどうかを判断する。現在時刻とＥＰＧデータの受信時刻との差が１０分以上ある場合は、ステップ４１０へ移行する。ステップ４１０では、ＥＰＧデータを受信しないで終了する。ステップ４０１にて現在時刻とＥＰＧデータの受信時刻が１０分前に近づいた場合は、ステップ４０２へ移行する。
【００６１】
ステップ４０２では、機器本体及びチューナー部１０２の電源がＯＮかＯＦＦか判断を行い、電源がＯＦＦの場合は、ステップ４０８へ移行する。
【００６２】
ステップ４０８では、機器本体の電源及びチューナー部１０２をＯＮし、ステップ４０９へ移行する。
【００６３】
ステップ４０９では、ＥＰＧデータ受信チャンネルに変更するように、チューナー部１０２の受信チャンネルを制御する。その後、ステップ４０７へ移行する。
【００６４】
ステップ４０７では、ＥＰＧデータを受信する。これにより使用者の判断でＥＰＧデータ受信開始するために、チューナー部１０２の受信チャンネルを、ＥＰＧ受信用のチャンネルに自動的に切り替え、ＥＰＧデータ受信できる。
【００６５】
一方、ステップ４０２にて機器本体及びチューナー部１０２の電源がＯＮかＯＦＦか判断を行った際、本体の電源がＯＮと判断した場合は、ステップ４０３へ移行する。
【００６６】
ステップ４０３では、記録再生部１０５において記録メディア１１１が再生中かどうかの判断をする。記録再生部１０５で記録メディア１１１が再生中の場合は、ステップ４０９へ移行する。ステップ４０９以降の動作については、前述と同様である。
【００６７】
ステップ４０３で、記録再生部１０５において記録メディア１１１が再生中ではないと判断した場合はステップ４０４へ移行し、ステップ４０４では、チューナー部１０２の受信チャンネルがＥＰＧ受信チャンネルであるかどうか判断する。チューナー部１０２の受信チャンネルがＥＰＧ受信チャンネルである場合は、ステップ４０７へ移行する。
【００６８】
ステップ４０７では、ＥＰＧデータを受信する。これにより機器本体が記録メディアを再生中にのチューナー部１０２の受信チャンネルを、ＥＰＧ受信用のチャンネルに自動的に切り替え、ＥＰＧデータ受信できる。
【００６９】
ステップ４０４で、チューナー部１０２の受信チャンネルがＥＰＧ受信チャンネルでない場合は、ステップ４１０へ移行する。ステップ４１０では、ＥＰＧデータを受信しないで終了する。
【００７０】
以上のように本実施の形態によれば、機器本体の電源がＯＮあるいはチューナー部１０２の電源がＯＮの場合、記録メディア１１１の再生状態に関わらず、現在チューナー部１０２で選局している受信チャンネルがＥＰＧ受信チャンネルと一致していれば、自動的にＥＰＧデータを受信するように構成したことで、従来（機器本体の電源がＯＦＦの時に限りＥＰＧ受信可能）に比べてＥＰＧデータを受信できる確率が高くなり、使い勝手を向上できる。
【００７１】
（実施の形態４）
次に図５において、制御部１０９のプログラムのフローチャートを示す。なお、装置全体のブロック構成は、図１に示すものと同様であるので、詳細説明は省略する。実施の形態１と異なるのは、制御部１０９におけるプログラムのフロー内容であり、そのフローの内容を図５に示した。本実施の形態は、記録メディア１１１に記録された静止画を再生している時に、ＥＰＧ受信時刻が近づいた時の動作を示すものである。
【００７２】
まず、ステップ５００にてＥＰＧデータの受信時刻と現在時刻の取得を行う。具体的には、アンテナ１０１及びチューナー部１０２を介してＥＰＧデータに含まれる受信時刻及び現在時刻の情報を取得する。同時にチュ−ナー部１０２の使用状態の取得を行う。
【００７３】
ステップ５０１にて、現在時刻がＥＰＧデータの受信時刻の所定時間前（例えば１０分前）に近づいたかどうかを判断する。現在時刻とＥＰＧデータの受信時刻との差が１０分以上ある場合は、ステップ５１０へ移行する。ステップ５１０では、ＥＰＧデータを受信しないで終了する。ステップ５０１にて現在時刻とＥＰＧデータの受信時刻が１０分前に近づいた場合は、ステップ５０２へ移行する。
【００７４】
ステップ５０２では、機器本体及びチューナー部１０２の電源がＯＮかＯＦＦか判断を行い、電源がＯＦＦの場合は、ステップ５０８へ移行する。
【００７５】
ステップ５０８では、機器本体の電源及びチューナー部１０２をＯＮし、ステップ５０９へ移行する。
【００７６】
ステップ５０９では、ＥＰＧデータ受信チャンネルに変更するように、チューナー部１０２の受信チャンネルを制御する。その後、ステップ５０７へ移行する。
【００７７】
ステップ５０７では、ＥＰＧデータを受信する。これにより使用者の判断でＥＰＧデータ受信開始するために、チューナー部１０２の受信チャンネルを、ＥＰＧ受信用のチャンネルに自動的に切り替え、ＥＰＧデータ受信できる。
【００７８】
一方、ステップ５０２にて機器本体及びチューナー部１０２の電源がＯＮかＯＦＦか判断を行った際、本体の電源がＯＮと判断した場合は、ステップ５０３へ移行する。
【００７９】
ステップ５０３では、記録再生部１０５において記録メディア１１１が静止画再生中かどうかの判断をする。記録再生部１０５で記録メディア１１１が静止画再生中の場合は、ステップ５０９へ移行する。ステップ５０９以降の動作については、前述と同様である。
【００８０】
ステップ５０３で、記録再生部１０５において記録メディア１１１が静止画再生中ではないと判断した場合はステップ５０４へ移行し、ステップ５０４では、チューナー部１０２の受信チャンネルがＥＰＧ受信チャンネルであるかどうか判断する。チューナー部１０２の受信チャンネルがＥＰＧ受信チャンネルである場合は、ステップ５０７へ移行する。
【００８１】
ステップ５０７では、ＥＰＧデータを受信する。これにより機器本体が記録メディア１１１を静止画再生中に、チューナー部１０２のチャンネルを、ＥＰＧ受信用のチャンネルに自動的に切り替えＥＰＧデータ受信できる。
【００８２】
ステップ５０４で、チューナー部１０２の受信チャンネルがＥＰＧ受信チャンネルでない場合は、ステップ５１０へ移行する。ステップ５１０では、ＥＰＧデータを受信しないで終了する。
【００８３】
以上のように本実施の形態によれば、機器本体の電源がＯＮあるいはチューナー部１０２の電源がＯＮの場合、記録メディア１１１の静止画再生中か否かに関わらず、現在チューナー部１０２で選局している受信チャンネルがＥＰＧ受信チャンネルと一致していれば、自動的にＥＰＧデータを受信するように構成したことで、従来（機器本体の電源がＯＦＦの時に限りＥＰＧ受信可能）に比べてＥＰＧデータを受信できる確率が高くなり、使い勝手を向上できる。
【００８４】
なお、本発明はＤＶＤレコーダーなどの記録再生装置を一例として説明したが、テレビジョン受像機に用いても有効である。図８はテレビジョン受像機に用いた際の構成を示すものであり、図８において、テレビへの応用例としての実施の形態を示すブロック図である。基本的に図１と同様であるが、図１より記録再生部１０５、記録メディア１１１を省くことにおいて、テレビへの応用例も可能である。なお、以上の実施例は、電子番組表受信装置及び電子番組表受信制御方法について適用例を示したが、電子番組表を用いる記録再生装置及びテレビ等すべてに適用できるものである。
【産業上の利用可能性】
【００８５】
本発明は、電子番組表（ＥＰＧ）データを受信可能な機器に利用して有効なものである。
【図面の簡単な説明】
【００８６】
【図１】本発明の電子番組表受信装置の実施の形態を示すブロック図
【図２】本発明の実施の形態１におけるＥＰＧデータ受信開始判断部の動作を説明する例１フローチャート
【図３】本発明の実施の形態２におけるＥＰＧデータ受信開始判断部の動作を説明する例２フローチャート
【図４】本発明の実施の形態３におけるＥＰＧデータ受信中断検出部の動作を説明する例３フローチャート
【図５】本発明の実施の形態４におけるＥＰＧデータ受信完了判断部の動作を説明する例４フローチャート
【図６】本発明の実施の形態における使用者に対してテレビ画面に表示するＥＰＧデータ受信判断画面例を示す模式図
【図７】本発明の実施の形態における使用者に対してテレビ画面に表示するＥＰＧデータ受信判断画面例を示す模式図
【図８】本発明の電子番組表受信装置の実施の形態を示すテレビへの応用例のブロック図
【符号の説明】
【００８７】
１０１    アンテナ
１０２    チューナー部
１０３    分離回路
１０４    映像信号処理部
１０５    記録再生部
１０６    ＥＰＧデータガイド表示部
１０７    ＥＰＧデータ受信部
１０８    操作部
１０９    制御部
１１０    ＥＰＧ用メモリ
１１１    記録メディア
１１２    表示判断部
１１３    モニター
【図１】
2006180156.tif 000003
【図２】
2006180156.tif 000004
【図３】
2006180156.tif 000005
【図４】
2006180156.tif 000006
【図５】
2006180156.tif 000007
【図６】
2006180156.tif 000008
【図７】
2006180156.tif 000009
【図８】
2006180156.tif 000010